(57)【要約】【課題】未乾燥の作品を壁や床等の周囲を汚損することなく鉛直にすることができ、作品携帯ホルダに作品を係止することができ、作品携帯ホルダに収納されている作品が脱落されずに携帯可能な作品携帯ホルダを提供する。【解決手段】長形の作品携帯ホルダの表面に作品の一端を係止する作品係止帯を取付け、前記作品携帯ホルダの裏面には作品素材保持部を設け、素材を積層して一端部が互いに縫着部と接着材により接合される複数の作品素材集部の接合部を前記作品素材保持部に着脱可能に貼付する【選択図】図１
2007022074.tif 000002
【特許請求の範囲】
【請求項１】
通気性を有して湿気を有する作品よりも大きく湿気を発散させる通気性シートと、前記湿気を有する作品と前記通気性シートとを交互に積層させてその端部を固着させる固着部と、前記通気性シートの少なくとも一方に少なくとも前記通気性シート相当の大きさから構成される保護カバーとからなり、湿気を有する作品を乾燥させながら作品を携帯保持することのできる作品携帯ホルダ。
【請求項２】
長形の作品携帯ホルダの表面に作品の一端を係止する作品係止帯を取付け、前記作品携帯ホルダの裏面には作品素材保持部を設け、素材を積層して一端部が互いに縫着部と接着材により接合される複数の作品素材集部の接合部を前記作品素材保持部に着脱可能に貼付することを特徴とする請求項１記載の作品携帯ホルダ。
【請求項３】
作品素材の接合部を前記素材保持帯に面ファスナで着脱可能に貼付することを特徴とする請求項２記載の作品携帯ホルダ。
【請求項４】
作品携帯ホルダの一端部にリング金具から構成される掲示用紐固定部を設けることを特徴とする請求項２記載の作品携帯ホルダ。
【請求項５】
作品携帯ホルダの下端部の作品係止部側と、作品携帯ホルダの裏面に面ファスナを設けて収納時に固定できるよう配置したことを特徴とする請求項２記載の作品携帯ホルダ。
【請求項６】
作品の端部を挟みこんで固定する挟みこみ部と、前記挟みこみ部を一端に備えた下敷部とを備えて、前記下敷部に設けられた第二接続部によって作品携帯ホルダ表面に結着自在に結合することで作品の掲示が可能な請求項２記載の作品携帯ホルダ。
【請求項７】
前記第二接続部は、下敷部の裏面に設けられる面ファスナと作品携帯ホルダ側に設けられる面ファスナとを結着させることを特徴とする請求項６記載の作品携帯ホルダ。
【請求項８】
素材が不織布で構成されることを特徴とする請求項１乃至７いずれかに記載の作品携帯ホルダ。
【請求項９】
保護カバーは前記複数の通気性シートを内側に綴じ込む２枚の樹脂から構成されることを特徴とする請求項１に記載の作品携帯ホルダ。
【発明の詳細な説明】
【技術分野】
【０００１】
本発明は、作品を書上げた直後の生乾きの状態で掲示することができるために閲覧や講評を直ちに得ることができ、また収納して携帯することのできる作品携帯ホルダに関する。
【背景技術】
【０００２】
出願人は、書道教育を行なう学校、私塾及び自己学習において、作成した書道作品をコンパクトに収納する書道携帯ホルダとして特許文献１に記載された書道携帯ホルダを提案している。この書道携帯ホルダは、書道作品を収納するために余分なスペースを要することなく、作品の収納と乾燥を同時に実施すること、乾燥及び収納時に周囲を汚さないこと等の課題を同時に解決可能な極めて優れたホルダである。
【０００３】
【特許文献１】特許第３５６４１２４号公報
【発明の開示】
【発明が解決しようとする課題】
【０００４】
上記、書道携帯ホルダを使用するにあたり、書家にとって不可欠な作業である書道作品作成後における書道作品の縦覧において前記書道携帯ホルダを適用することの必要性を認識するに至った。
【０００５】
すなわち、書家が書道作品を一点書き終えると次の書道作品を作成するにあたり、書き終えた書道作品を充分に研究して、書道作品の線の太さや大小や、墨の色、筆の運びである、払い、止め、はね等の位置や方向等を確認し、次作品への構想に役立たせる。これらの確認を行なうためには書道作品を鉛直方向に立てる必要がある。これは、書道作品が特に大きく長くなればなるほど床に置いたままでは書道作品の正しい閲覧が困難となるからである。しかしながら、書道作品を作成した直後は墨で紙が濡れており、書道作品の下敷きとなるものが無い状態で掲示をするのでは墨等が壁等に付着して汚損するおそれがあり、直接、書道作品を鉛直にすることが難しい。
【０００６】
そこで、出願人は一点を書き終えた際に書道携帯ホルダに鉛直方向からの書道作品の閲覧をすべく検討したところ三つの課題を有することが判明した。
【０００７】
すなわち第一の課題は、本作品携帯ホルダをいかにして鉛直とするかにある。特に書家が作品携帯ホルダを把持することなく鉛直とする必要がある。
【０００８】
第二の課題は、壁等に貼り付けられている作品携帯ホルダに如何にして壁や床等の周囲を汚損することなく作品を係止するかであり、係止する手段の必要性である。この係止手段は、作品完成後に係止するため簡易に係止できるものでなければならない。
【０００９】
第三の課題は、作品携帯ホルダを鉛直にした場合、作品携帯ホルダに収納されている作品が脱落することに有る。すなわち、書道作品を鉛直にして掲示する際には全作品を収納させる必要は無い。携帯して移動する際に収納機能が作用すればよい。
【００１０】
そこで、本発明の目的は、本作品携帯ホルダを壁や床等の周囲を汚損することなくいかにして鉛直にすることができ、作品携帯ホルダに作品を係止することができ、かつ、作品携帯ホルダに収納されている作品が脱落せず、携帯することができる作品携帯ホルダを提供することにある。
【課題を解決するための手段】
【００１１】
本発明に係る作品携帯ホルダは、通気性を有して湿気を有する作品よりも大きく湿気を発散させる通気性シートと、前記湿気を有する作品と前記通気性シートとを交互に積層させてその端部を固着させる固着部と、前記通気性シートの少なくとも一方に少なくとも前記通気性シート相当の大きさから構成される保護カバーとからなり、湿気を有する作品を乾燥させながら作品を携帯保持することができる。
【００１２】
また、長形の作品携帯ホルダの表面に作品の一端を係止する作品係止帯を取付け、前記作品携帯ホルダの裏面には作品素材保持部を設け、素材を積層して一端部が互いに縫着部と接着材により接合される複数の作品素材集部の接合部を前記作品素材保持部に着脱可能に貼付することを特徴とする。
【００１３】
さらに、作品素材の接合部を前記素材保持帯に面ファスナで着脱可能に貼付することを特徴とする。
【００１４】
そしてまた、作品携帯ホルダの一端部にリング金具またはハトメから構成される掲示用紐固定部を設けることを特徴とする。
【００１５】
そのうえ、作品携帯ホルダの作品係止部側の下端部と、作品携帯ホルダの裏面に面ファスナを設けて収納時に固定できるよう配置したことを特徴とする。
【００１６】
さらにまた、作品の端部を挟みこんで固定する挟みこみ部と、前記挟みこみ部を一端に備えた下敷部とを備えて、下敷部の裏面に設けられる面ファスナと作品携帯ホルダ側に設けられる面ファスナとを結着させることで容易に作品の掲示が可能な事を特徴とする。
【００１７】
そしてさらに、作品の端部を挟みこんで固定する挟みこみ部と、前記挟みこみ部を一端に備えた下敷部とを備えて、前記下敷部に設けられた第二接続部によって作品携帯ホルダ表面に結着自在に結合することで作品の掲示が可能となる。
【００１８】
さらに、前記第二接続部は、下敷部の裏面に設けられる面ファスナと作品携帯ホルダ側に設けられる面ファスナとを結着させることを特徴とする。
【００１９】
続いて、素材が不織布で構成されることを特徴とする。
【００２０】
保護カバーは前記複数の通気性シートを内側に綴じ込む２枚の樹脂から構成されることを特徴とする。
【発明の効果】
【００２１】
本発明に係る作品携帯ホルダを実施することで、第一に本作品携帯ホルダを容易に鉛直方向に掲示することができるようになり、書道作品を作成後直ちに壁や床等の周囲を汚損することなく閲覧が簡易にでき、書家の作品チェックの負担が軽減されるという利点がある。
【００２２】
第二に作品完成後に直ちに係止するのが容易となる。さらに、第三に作品素材集部を着脱自在とすることで、掲示を行なう際は作品素材集部を取りはずし、床に置くことで、作品の脱落を防ぐことができるという利点がある。また、すぐに数多くの作品を収納できる利点もある。
【００２３】
さらに、作品携帯ホルダの構成素材を不織布等を用いることで極めて軽い作品携帯ホルダを形成することが可能となる。
【００２４】
続いてサイズを半紙を半分に折り曲げることでコンパクトなサイズに変更される。例えば半紙サイズでは不可能であるがＡ４サイズに折り曲げることでランドセルや鞄等に容易に収納することができる。但し、作品のサイズによって様々なサイズになる可能性があり、他のサイズとすることは設計変更の範囲内である。
【００２５】
さらに、本発明に係る作品携帯ホルダには下敷と半紙が同封可能であり、従って荷物の削減が可能である。
【発明を実施するための最良の形態】
【００２６】
以下に、この発明の実施形態例を、図面を用いて説明する。
【実施例１】
【００２７】
図１は、本発明に係る作品携帯ホルダの作品係止帯側の正面図を示す。図２は、本発明に係る作品携帯ホルダの作品係止帯側に半紙を装着した正面図を示す。図３は、本発明に係る作品携帯ホルダの作品素材保持部側に作品素材集部を装着した正面図を示す。図４Ａは、本発明に係る作品携帯ホルダの作品素材保持部側になんら装着することのない正面図を示す。図４Ｂは、本発明に係る作品携帯ホルダの作品素材保持部側になんら装着することのない側面図を示す。図４Ｃは、本発明に係る作品携帯ホルダを巻いたあとの構成図を示す。図５Ａは、本発明に係る作品携帯ホルダの作品素材集部の正面図を示す。図５Ｂは、本発明に係る作品携帯ホルダの作品素材集部の背面図を示す。図５Ｃは、本発明に係る作品携帯ホルダの作品素材集部の側面図を示す。
【００２８】
作品携帯ホルダ２は、図１に示すように全体がホルダシート４からなりその頂部に綴じカバー６が縫着される。この綴じカバー６には本例では２箇所が開口されてハトメ１４、１６が設けられる。ホルダシート４の一方の面の綴じカバー６よりやや下部に作品係止帯８が綴じカバー６と平行に縫着される。作品係止帯８は、クリップまたは磁石、鋲及び針と受け金を配置することによる磁石止め等で係止できるように複数個のポケット１０、１２が設けられる。一方、ホルダシート４の下部には面ファスナ１８、２０、２２を複数枚、本例では３枚が縫着される。図２に半紙２４を作品係止帯８にクリップ２６、２８で係止した状態を示す。クリップ２６、２８は、ポケット１０、１２に対応する位置に係止される。この作品携帯ホルダ２の長さＬは半紙の大きさによって異なり５００ｍｍ〜３０００ｍｍであり、幅Ｗは２００ｍｍ〜１５００ｍｍである。
【００２９】
次に本発明に係る作品携帯ホルダ２の作品素材集部貼付け面を図３に示す。作品携帯ホルダ２の作品係止帯８を設けた面とは反対側面には、綴じカバー６に隣接して作品素材集部３４の綴じカバー３２が貼付されている。作品素材集部３４は、その長さが半紙２４より長く、複数枚のホルダシートが綴じカバー３２によって綴じられている。作品携帯ホルダ２の裏面の最下部に面ファスナ３６、３８、４０が縫着される。これらの面ファスナ３６、３８、４０は、面ファスナ１８、２０、２２に対応するものである。
【００３０】
この本発明に係る作品携帯ホルダ２の作品素材集部貼付け面から作品素材集部３４を取り外した構成を図４Ａに示す。綴じカバー６の下側に面ファスナ４４、４６が縫着される。この面ファスナ４４、４６と作品素材集部３４に設けられる面ファスナ４８、５０（図５Ｂ）とが結着できるように構成される。これらを側面から示す図を図４Ｂに示す。ハトメ１４、１６は綴じカバー６を貫通して配置され、面ファスナ４４、４６が綴じカバー６の下部に作品素材集部貼付け面方向に突出する。一方、面ファスナ３６、３８、４０は作品携帯ホルダ２の最下段に作品素材集部貼付け面方向に突出する。一方、面ファスナ１８、２０、２２は、作品携帯ホルダ２の最下端より所定の間隔上部に表面側に突出する。収納する場合は巻き取った上で面ファスナ３６、３８、４０と面ファスナ１８、２０、２２とが重なるようにする。この場合、いずれか一方がフック部であり、他方がループ部となる。
【００３１】
作品素材集部３４は、図５Ａに示すように複数のホルダシートを上端である一端部で綴じカバー３２によって被覆して綴じている。綴じカバー３２の裏面は図５Ｂに示すように綴じカバー３２裏に面ファスナ４８、５０が縫着される。この面ファスナ４８、５０は、図４Ａに示される作品携帯ホルダ２の綴じカバー６の下部に縫着される面ファスナ４４、４６と結着されるように構成される。
【００３２】
次に本発明の使用方法について説明する。
【００３３】
第一に携帯していた作品携帯ホルダ２を使用するために広げたとする。この際の構成は図３に示されるように、作品携帯ホルダ２に作品素材集部３４が結着した状態となる。前回書いた作品を閲覧する場合は、作品素材集部３４から作品を取り出す。
【００３４】
第二に作品を１点作成し、作成した作品を閲覧、講評する場合を想定する。作品を作成後に未乾燥のままで閲覧講評することができる。この場合、作品が複数綴じてある作品素材集部３４を作品携帯ホルダ２より外す（図４Ａ）。
【００３５】
第三に作品携帯ホルダ２を反転させると図１に示される作品係止帯８が出現する。この作品係止帯８にクリップ及び磁石、鋲および針等で作成された作品を係止した様子を図２に示す。このときに、ハトメ１４、１６に紐を通して例えば居室の壁に設けられるフック等に掛けることによって容易に鉛直に立てた状態で作品の閲覧が可能となる。このとき、下地であるホルダシート４を色彩の濃い紺色等のカラーとすることで作品の掲載用下敷きとして十分見栄えがするのみでなく、あたかも実際に表装したものと同様の作品が浮き上がる効果を得ることができ、さらには作品が浮き出てくる印象を閲覧者に与えることが可能となる。また、閲覧、講評が容易にできるため、作品を作成する度に他人の手を煩わせることなく一人でも閲覧が可能である。その上、閲覧を終了後に直ちに作品素材集部３４に書道作品を収納することができ、書道作品を作成するための集中力を保持したまま、次の作品の作成に携わることができる。
【００３６】
第四に複数の作品を書き終えて、作品を携行して移動する際は、作品素材集部３４に未乾燥の状態で作品を収納することができる。さらに収納してから作品携帯ホルダ２に結着させて作品携帯ホルダ２とともに巻取ることができ容易に携帯することができる。
【００３７】
この際に作品は数枚のホルダシートの間に未乾燥の状態で複数枚綴じることができる。
【００３８】
ここで、ホルダシートとしては不織布を用いることが好ましい。通気性が良い一方で撥水性があり墨が不織布に付着せずに作品の乾燥が素早く進行し、重量が軽く、大きさがコンパクトに纏まり、さらに乾き皺ができ難い。
【実施例２】
【００３９】
図６Ａは、半紙サイズの作品携帯ホルダ６０の第２実施例の正面図であって、作品携帯ホルダ６０は、厚手の不織布等から構成される表紙６２の上に不織布７４が複数枚積層され、その一端辺で不織布７４が縫着される。半紙は、複数枚の不織布７４内に挿入される。不織布７４を利用することで通気性がよく、撥水性も有するため、未乾燥であっても作品に染み込んでいる墨が他に付着し難い。
【００４０】
表紙６２は、不織布等から構成される。縫着部には、綴じカバー６４が端辺全体にわたって被覆する。この綴じカバー６４にさらにハトメ６８、７０が設けられ固定される。
【００４１】
表紙６２のサイズは、長さＬは、３８０〜５００ｍｍ程度、望ましくは４００〜４６０ｍｍであり幅Ｗは２６０ｍｍ〜５００ｍｍ程度、好適には２７０〜３５０ｍｍが望ましい。また、この表紙６２の綴じカバー６４に上向きに面ファスナのループ部６６，７２が縫着される。一方、表紙の底部に面ファスナのフック部７６，７８が縫着される。
【００４２】
一方、図６Ｂは、不織布７４を綴じカバー６４で縫着し、さらにハトメ６８、７０によって綴じた側面図を示す。図６Ｃでは、本発明に係る作品携帯ホルダ６０を面ファスナが重なるように折畳む。学校などではハトメ６８、７０に紐を通して書き終えた作品を未乾燥の状態で作品携帯ホルダ６０に挟み机脇のフックに掛けることもできるので、狭い場所でも整理整頓が可能である。
【実施例３】
【００４３】
図７は、半切サイズの作品携帯ホルダの第３実施例の正面図であって、作品を掲示する際に半切の下に作品の墨色を見やすくするために白色の下敷きを重ねて掲載可能に構成した作品携帯ホルダである。図８は半切紙２５を掲示する場合の構成図であり、図９は半切紙２５、白下敷き８０、作品素材集部３４を格納する場合の構成図である。
【００４４】
ホルダシート７９の上部には、端部が折り曲げられて、貫通孔が設けられてハトメ１４、１６が挿入される。一方、ホルダシート７９の下部には面ファスナ１８、２０、２２、裏面にも面ファスナ３６，３８，４０が複数枚、本例では各３枚が片面に縫着される。
【００４５】
ホルダシート７９の上部には、ハトメ１４、１６に隣接して表裏にそれぞれ面ファスナ８４と８６とが縫着される。面ファスナ８４が掲示用面ファスナであり、面ファスナ８６が収納用面ファスナである。
【００４６】
図８に示されるように、半切紙２５を掲示する場合は、白色の白下敷き８０がホルダシート７９にある掲示用面ファスナ８４と白下敷き８０の裏面に縫着される面ファスナ８５とが結着される。また、白下敷き８０の頭頂部には半切紙の幅の長さに等しいマグネットクリップ８２が設けられ、このマグネットクリップ８２の間に半切紙２５が挿入されて掲示される。
【００４７】
一方、図９には収納時の構成図が示されており、白下敷き８０の面ファスナ８５が収納用面ファスナ８６に装着される。さらに、作品素材集部３４の上端部に設けられる面ファスナ９１が収納用面ファスナ８６に装着される。
【００４８】
以上のように構成することで、第一に半切紙を掲示する場合に、白下敷きによって作品の見栄えが向上し墨色が判かるようになる。また、面ファスナが着脱可能であるために容易に掲載用と収納用ファスナの交換は任意である。
【実施例４】
【００４９】
図１０は、本発明に係る作品携帯ホルダの第４の実施例の構成図を示す。
【００５０】
作品携帯ホルダ１０２は、略半紙よりも大きめの大きさの複数枚の不織布１０８と、その複数枚の不織布１０８と同等か大きめの板目紙１０４、１１２によって挿まれ、その長辺端部に不織布による背表紙１０６によって固定され、祭り縫い１１０によって縫い込まれる。不織布の枚数は２枚以上であれば１枚以上挟みこむことができるが１０枚以上とすることで纏まった数の半紙を収納できる。
【００５１】
作品携帯ホルダ１０２は、例えば携帯用バッグ等で持ち運びが可能である。
【００５２】
不織布１０８の内部に書き終えた墨汁で濡れた状態の半紙を挿入すると、不織布１０８が通気性を有するので半紙内の水分が乾燥し易い。
【００５３】
また、不織布は通気性を有するので他の作品に触れることなく乾燥させることができる。
【００５４】
さらに、作品携帯ホルダは不織布１０と板目紙１０４、１１２から構成されるため重量が軽く、携帯に最適である。更に汚れた場合は、洗濯も可能であり、清潔性を維持することができる。
【００５５】
そのうえ、略半紙よりも大きめの大きさの複数枚の不織布の間に挟みこむため、半紙等に皺などつけることなく平坦な状態で保管することができる。
【００５６】
以上本発明の好適な実施例１、実施例２、実施例３並びに実施例４について説明をしたが、本発明は前記実施例に限定されることなく、その精神を逸脱しない範囲内において多くの設計変更が可能である。例えば、ホルダシートとして不織布を採用したが、不織布に限定されるものではなく、通気性を有する素材であれば、フェルトと、麻布と、網目状布、ポリエステル製網、目の細かいレース布、また、その他の天然素材として植物性素材であるケナフ、バナナ、竹等の素材、さらに金属を利用した素材としてステンレス、ニッケル等、さらに炭素素材、さらに再生素材としてＰＥＴボトルを再生したＰＥＴ素材等の通気性を有する素材を選択することができる。
【００５７】
また、不織布を採用した場合、本実施例では縫着させているが、超音波を発生させる超音波ホーンを溶着部の両側に配位させて溶着させても接合できる。また、粘着テープや接着剤また、ホチキスで固定することもできる。更には、熱可塑性樹脂を塗布して加熱融着させることもできる。
【００５８】
その他にもホルダシートとしては紙類又は、プラスチック樹脂が利用可能である。紙類として、例えば、ボール紙、厚紙も使用可能であるが、好ましくは板目紙がよい。プラスチック樹脂は、ポリエチレン、ポリプロピレン、低発泡性ポリプロピレン、ポリ塩化ビニル、ポリエチレンテレフタラート等を採用することもできる。また、フェルト地等の書道用の下敷きを利用することもできる。また、合成皮革等の使用も十分その対象となる。フェルト等を利用する場合は、特に表紙部のみをフェルトとすることで最外部のみをフェルトとすることが好ましく、また、このフェルトを下敷きとして使用することも可能である。
【００５９】
さらに、収納する作品として仮名用、漢字用、また南画等の水墨画用を含めて、半紙、半切、全紙、色紙、連落、画仙紙、条巾紙、２×６尺紙、尺八紙等その形状の変更により書道作品または水墨画作品や版画作品等収納可能なものはいろいろ考えられる。
【００６０】
なお、本発明に係るホルダに、１ｍｍ〜３ｍｍ程度のフェルトの下敷を巻き込みフェルトの下敷とホルダの双方に面ファスナを縫着して着脱自在に結合したり、そのまま巻回したりする。このように構成することで、書道用具を携行して移動する際に携行品数を削減することができる。
【００６１】
また、作品携帯ホルダの一方の面に作品係止帯を付着させる代わりに所定の長さの紐を複数本縫着し、その紐の縫着側とは反対の端部にクリップや磁石等の保持具を配置する。この保持具によって作品を掲示することができる。
【００６２】
さらに、白下敷について紙を挟む方法として、マグネットクリップ８２を提案したが、マグネットクリップに限定されるものではなく、紐、面ファスナ、バネクリップ、ピン、留め金、その他のバインダまたは綴じ具等の部品で固定することは設計変更の範囲内である。
【００６３】
さらに、実施例４では板目紙を表紙としたが、例えば不織布より可撓性を有するポリプロピレン製の表紙部を設けてもよい。また、不織布の縫着方法として祭り縫いを例としたが、溶融圧着やホチキス止め、接着剤等によって固定することも当然に設計変更の範囲内である。
【産業上の利用可能性】
【００６４】
長形の作品携帯ホルダの表面に作品の一端を係止する作品係止帯を取付け、前記作品携帯ホルダの裏面には作品素材保持部を設け、素材を積層して一端部が互いに縫着部と接着材により接合される複数の作品素材集部の接合部を前記作品素材保持部に着脱可能に貼付することで、毛筆でしたためられて未だ墨汁で濡れた状態の作品を鉛直に懸吊して壁や床等の周囲を汚損することなく閲覧、講評でき、さらに、乾燥させながらコンパクトに複数枚収納できる携帯型書道作品携帯ホルダとして、日本古来の教えとして見直されつつある学校書道教育の授業や、一般の書道教室の生徒、さらには愛好家、そして書家に至るまで、半紙程度の小型の作品から全紙の２倍程度の大型の書道作品の書いた直後からの収納や整理、さらに搬送と保管に大いに役立つものである。しかも、移動時に不織布等を使用することで軽く嵩張らずに携帯が可能な上に、作品作成後に直ちに壁や床等の周囲を汚損することなく掲載等を行なうことができる。
【００６５】
さらに、面ファスナのような取り外し可能な固定具で固定した場合には、いずれも積層された不織布はホルダから取り外しが自在であるため、省スペースが図れ、且つ状況に応じて使い分けることができる。しかも、不織布の枚数は綴じカバーで綴じられた枚数に限定されること無く１枚から追加することが可能である。
【図面の簡単な説明】
【００６６】
【図１】本発明の第１の実施例に係る作品携帯ホルダの作品係止帯側の正面図である。
【図２】本発明の第１の実施例に作品係止帯側に半紙を装着した正面図である。
【図３】本発明の第１の実施例に作品携帯ホルダにおける作品素材保持部側に作品素材集部を装着した正面図である。
【図４Ａ】本発明の第１の実施例に作品携帯ホルダの作品素材保持部側になんら装着することのない正面図である。
【図４Ｂ】本発明の第１の実施例に作品携帯ホルダの作品素材保持部側になんら装着することのない側面図である。
【図４Ｃ】本発明の第１の実施例に作品携帯ホルダを巻回してコンパクトにした構成図である。
【図５Ａ】本発明の第１の実施例に係る作品携帯ホルダの作品素材集部の正面図である。
【図５Ｂ】本発明の第１の実施例に係る作品携帯ホルダの作品素材集部の背面図である。
【図５Ｃ】本発明の第１の実施例に係る作品携帯ホルダの作品素材集部の側面図である。
【図６Ａ】本発明の第２の実施例に係る作品携帯ホルダ正面図である。
【図６Ｂ】本発明に第２に係る作品携帯ホルダの背面図である。
【図６Ｃ】本発明に第２に係る作品携帯ホルダを閉じた場合の構成図である。
【図７】本発明の第３の実施例に係る作品携帯ホルダ正面図である。
【図８】本発明に第３の実施例に係る作品携帯ホルダの掲示する際の構成図である。
【図９】本発明に第３の実施例に係る作品携帯ホルダを収納する際の構成図である。
【図１０】本発明に第４の実施例に係る作品携帯ホルダを収納する際の構成図である。
【符号の説明】
【００６７】
２  作品携帯ホルダ
４  ホルダシート
６  綴じカバー
８  作品係止帯
１０、１２  ポケット
１４、１６  ハトメ
１８、２０、２２  面ファスナ
２４  半紙
２５  半切紙
２６  クリップ
３２  綴じカバー
３４  作品素材集部
３６、３８、４０  面ファスナ
４４、４６  面ファスナ
４８、５０  面ファスナ
７９  ホルダシート
８２  マグネットクリップ
８０  白下敷き
８４、８６  面ファスナ
８５  面ファスナ
８８  作品素材集部
９１  面ファスナ
１００  携帯用バッグ
１０２  作品携帯ホルダ
１０４、１１２  板目紙
１０６  背表紙
１０８  不織布
１１０  祭り縫い
１１４  本体
１１６と１１８  細辺
１２２、１２４  取手
１２０  開口部
【図１】
2007022074.tif 000003
【図２】
2007022074.tif 000004
【図３】
2007022074.tif 000005
【図４Ａ】
2007022074.tif 000006
【図４Ｂ】
2007022074.tif 000007
【図４Ｃ】
2007022074.tif 000008
【図５Ａ】
2007022074.tif 000009
【図５Ｂ】
2007022074.tif 000010
【図５Ｃ】
2007022074.tif 000011
【図６Ａ】
2007022074.tif 000012
【図６Ｂ】
2007022074.tif 000013
【図６Ｃ】
2007022074.tif 000014
【図７】
2007022074.tif 000015
【図８】
2007022074.tif 000016
【図９】
2007022074.tif 000017
【図１０】
2007022074.tif 000018